(57)【要約】【課題】磁気吸着力によって複数個連結できる、ディスク状記録媒体を収納するディスク状記録媒体保持具をディスク状記録媒体の表面の汚れが付きにくいものとする。【解決手段】磁石部材Ｍを収容した状態でディスク状記録媒体の保持部材２５と側壁部材２４とをカバー嵌合溝２９ができる状態で結合して、単独でディスク状記録媒体保持具としても使用できる本体ユニット２２に仕上げ、さらにカバー嵌合溝２９にディスク状記録媒体の側面を覆うカバー部材２３を着脱自在に取り付けたディスク状記録媒体保持具２１とした。なお、このカバー部は本体ユニットに一体的に形成しても良い。また、保持部材２５にはディスク状記録媒体の中央孔が着脱自在に係止できる弾性舌片２５ｃを設けても良い。【選択図】図８
2006114119.tif 000002
【特許請求の範囲】
【請求項１】
ディスク状記録媒体の中央孔から先端面が突出して嵌入する保持部と、ディスク状記録媒体の側面中央部を覆う側壁部とを備え、該側壁部におけるディスク状記録媒体との対向面の裏側の外面中央部及び上記保持部の先端面を強磁性体物品に磁気吸着力により取り付けるディスク状記録媒体保持具において、上記側壁部近傍には該側壁部の内面に対向するディスク状記録媒体の側面全面を覆うカバー部が設けられていることを特徴とするディスク状記録媒体保持具
【請求項２】
上記保持部の外周部には少なくとも一つの弾性舌片が形成され、該弾性舌片を介してディスク状記録媒体の中央孔部を着脱自在に取り付け可能としたことを特徴とする請求項１に記載のディスク状記録媒体保持具
【請求項３】
上記カバー部は、上記側壁部近傍に着脱自在に設けられることを特徴とする請求項１または２のいずれかに記載のディスク状記録媒体保持具
【請求項４】
上記カバー部は、上記側壁部に一体形成されることを特徴とする請求項１または２のいずれかに記載のディスク状記録媒体保持具
【請求項５】
上記カバー部は、上記側壁部へ一体的に接合されて取り付けられることを特徴とする請求項４に記載のディスク状記録媒体保持具
【請求項６】
上記カバー部の外周面には、インデックス部が突出して設けられていることを特徴とする請求項１〜５のいずれかに記載のディスク状記録媒体保持具
【請求項７】
上記カバー部は、上記該側壁部の内面に対向するディスク状記録媒体の側面全面を覆う一面カバー部とその外周から延設されたディスク状記録媒体の反対側の面を覆う他面カバー部とで構成されることを特徴とする請求項１〜６のいずれかに記載のディスク状記録媒体保持具
【発明の詳細な説明】
【技術分野】
【０００１】
本発明は、コンパクトディスク（ＣＤ／ｃｏｍｐａｃｔ  ｄｉｓｋ）、ＤＶＤ（ｄｉｇｉｔａｌ  ｖｅｒｓａｔｉｌｅ  ｄｉｓｋ）等のディスク状記録媒体の収納性を良くするディスク状記録媒体保持具に関するものである。
【背景技術】
【０００２】
ディスク状記録媒体であるコンパクトディスクを複数収納する技術として、コンパクトディスクをその中央穴に差し込む保持片によって保持すると共に該保持片の先端面及びコンパクトディスクの側面を覆う側壁部のコンパクトディスクとの対向面の裏側の外面中央部に磁気吸着力を有するコンパクトディスク保持具（以下、ディスク状記録媒体保持具という）を用いることにより、コンパクトディスクの中央穴の軸線方向にコンパクトディスクを収容した複数のディスク状記録媒体保持具を磁気吸着にて連結できることが、本出願人の先の出願による特許公開公報にて公開されている。
【０００３】
なお、この技術におけるディスク状記録媒体保持具は、ディスク状記録媒体保持具自体が保持片及び側壁部を一体的に構成するタイプのものと、ディスク状記録媒体の中央孔に位置する磁石部材と該磁石部材を装着し、かつ、ディスク状記録媒体を収容する収容カバーとで構成されるタイプのものとが開示されている。（特許文献１参照）
そして、前者のタイプのディスク状記録媒体保持具は、ディスク状記録媒体の中央孔を利用し直接的にディスク状記録媒体を収納できるので収納の操作性が良く、複数個のディスク状記録媒体をディスク状記録媒体の連結により簡単に実施することができると共に、好みのディスク状記録媒体の抽出作業も楽に行える利点がある。
また、後者のタイプのディスク状記録媒体保持具は、ディスク状記録媒体を収容カバー内に収容するため、ディスク状記録媒体に埃や手の跡等の汚れがつきにくい利点がる。
【０００４】
【特許文献１】特開２００３−１０９３４１号公報（４頁６欄９行〜６頁９欄４４行、図１〜図１８）
【発明の開示】
【発明が解決しようとする課題】
【０００５】
しかしながら、前者のタイプのディスク状記録媒体保持具は、ディスク状記録媒体が剥き出しの状態で収納されるので、実用上の支障は余りないとは思われるものの、ディスク状記録媒体の特に記録面を綺麗に保護する希望には応えることができず、後者のタイプのディスク状記録媒体保持具は、ディスク状記録媒体のディスク状記録媒体保持具への着脱に手間がかかる性質があり、これらを改良したディスク状記録媒体保持具の開発が望まれていた。
【０００６】
そこで、本発明は、ディスク状記録媒体を収容したディスク状記録媒体保持具が簡単に複数連結できる構成でありながら、ディスク状記録媒体の記録面を簡単に覆って保護することのできるディスク状記録媒体保持具を提供することを課題とする。
【課題を解決するための手段】
【０００７】
本発明は、ディスク状記録媒体の中央孔から先端面が突出して嵌入する保持部と、ディスク状記録媒体の側面中央部を覆う側壁部とを備え、この側壁部におけるディスク状記録媒体との対向面の裏側の外面中央部及び保持部の先端面を強磁性体物品に磁気吸着力により取り付けるディスク状記録媒体保持具において、側壁部近傍にはこの側壁部の内面に対向するディスク状記録媒体の側面全面を覆うカバー部が設けられているディスク状記録媒体保持具とすることで実現できる。
この構成によれば、ディスク状記録媒体の一面、特に記録面の全面をカバー部材が覆うことができるので、ディスク状記録媒体が汚れにくいと共に、ディスク状記録媒体のディスク状記録媒体保持具への着脱も簡単に行うことができる利点がある。
【０００８】
なお、保持部の外周部には少なくとも一つの弾性舌片が形成され、この弾性舌片を介してディスク状記録媒体の中央孔部を着脱自在に取り付け可能とした構成とすれば、ディスク状記録媒体がディスク状記録媒体保持具の所定位置に確実に係止されるので、より確実にディスク状記録媒体の一面を覆うことができる。
【０００９】
また、カバー部は、側壁部近傍に着脱自在に設けられるようにすると、カバー部の無い態様のディスク状記録媒体保持具としての使用も可能となるので、カバー部の有るものと無いものとを用途によって使い分けるができ、使用性を向上させることができる。
【００１０】
それとは逆に、カバー部は、側壁部に一体形成されるようにすることもできる。この場合は、構造が簡素化し、カバー部が確実に取り付けられる利点がある。
【００１１】
この場合のカバー部は、側壁部に接着等の適宜な手段で一体的に接合されて取り付けられるようにすることができる。
【００１２】
なお、カバー部の外周面には、インデックス部が突出して設けられているようにすると、ディスク状記録媒体を整理しやすくなり、検索する場合に便利なものとなる。
【００１３】
さらに、カバー部は、側壁部の内面に対向するディスク状記録媒体の側面全面を覆う一面カバー部とその外周から延設されたディスク状記録媒体の反対側の面を覆う他面カバー部とで構成されるようにすれば、ディスク状記録媒体の両面を簡単に覆うことができ、よりディスク状記録媒体を汚れにくくすることができる。
【発明の効果】
【００１４】
本発明によれば、ディスク状記録媒体を収容したディスク状記録媒体保持具が簡単に複数連結できる構成でありながら、ディスク状記録媒体の一面も側壁部近傍に設けたカバー部で簡単に覆うことができるので、ディスク状記録媒体の収納性に優れると共に、ディスク状記録媒体の、特に記録面の汚れを防ぐことのできるディスク状記録媒体保持具とすることができる。
【００１５】
なお、カバー部を側壁部近傍に着脱自在の構成とすれば、カバー部無しのディスク状記録媒体保持具としても使用が可能となるので、使用性を向上させることもできる。
また、カバー部をディスク状記録媒体の両面を覆うようにすることもでき、その場合はディスク状記録媒体の汚れを防ぐ機能をより向上させることができる。
【発明を実施するための最良の形態】
【００１６】
本発明は、ディスク状記録媒体の中央孔から先端面が突出して嵌入する保持部と、ディスク状記録媒体の側面中央部を覆う側壁部とを備え、この側壁部におけるディスク状記録媒体との対向面の裏側の外面中央部及び保持部の先端面を強磁性体物品に磁気吸着力により取り付けるディスク状記録媒体保持具であって、側壁部近傍にはこの側壁部の内面に対向するディスク状記録媒体の側面全面を覆うカバー部が設けられていることを基本構成としている。
以下、詳細な構造について各実施例に基づき説明する。
【実施例１】
【００１７】
図１〜図６は、本発明の実施例１を表わしたものであり、図１（ａ）は分解斜視図、図１（ｂ）は完成状態の斜視図、図２（ａ）は本体ユニット分解斜視図、図２（ｂ）は本体ユニットの完成状態の斜視図、図３（ａ）（ｂ）はカバー部の孔部拡大図、図４は拡大断面図、図５（ａ）はディスク状記録媒体の取り付け方法を示す斜視図、図５（ｂ）はディスク状記録媒体の取り付け状態の斜視図、図６（ａ）はディスク状記録媒体の取り付け状態の部分拡大断面図、図６（ｂ）はディスク状記録媒体保持具を磁気吸着で連結した状態の部分拡大断面図を示す。
具体的な構成部材については、図１（ａ）（ｂ）及び図２（ａ）（ｂ）に示されるように、本発明の実施例１のディスク状記録媒体保持具１は、側壁部４’を形成する側壁部材４、磁石部材Ｍ、保持部５’を形成する保持部材５からなる本体ユニット２とカバー部３’を形成するカバー部材３とで構成される。
【００１８】
側壁部材４はＡＢＳ樹脂等の合成樹脂製で、側壁部４’は略円盤状に形成されておりその内面６側にはディスク状記録媒体との対向面６ａが平面状に形成され外周近傍には面取り部６ｂが設けられている。また、ディスク状記録媒体との対向面６ａの略中央部には、円筒状の保持部材取り付け壁７が設けられており、その内面が磁石部材収納部７ａとなり、外面には上部に突起部７ｂが全周に設けられると共に根元にはカバー収納段部７ｃが全周に形成されている。
また、側壁部４’の外面８は、図４に示すように中央部８ａが平坦で、外周面に向かって傾く方向に湾曲面８ｂが形成され、後述するようにディスク状記録媒体保持具１として完成させた状態で、同部に他のディスク状記録媒体保持具１を回動自在に磁気吸着させることができるようになっている。
【００１９】
磁石部材Ｍは、外形10.1ｍｍ厚さ1.54ｍｍ程度の磁石Ｍａと、外形10.1ｍｍ厚さ0.88ｍｍ程度の鉄板等の強磁性体でなるヨーク部材Ｍｂで構成される。
磁石Ｍａは、フェライト系焼結磁石、希土類系焼結磁石（ＳｍＣｏ系、ＮｄＦｅＢ系）、フェライト系ボンド磁石、希土類系ボンド磁石（ＳｍＣｏ系、ＳｍＦｅＮ系、ＮｄＦｅＢ系）等が用いられる。形状としては円盤形状の焼結品が吸着力、経済性の面から好ましく、その場合の材料としては例えばＮｄＦｅＢ系焼結磁石を使用したものが挙げられる。
【００２０】
なお、本発明に使用する磁石は、表面及び背面の中心が一致する状態で多数個磁気吸着できるように着磁される。この場合の着磁の方向は、厚み方向に着磁を施すと同様に着磁した同形状の他の磁石に対して中心が一致して磁気吸着する特性があるので好ましい。
【００２１】
また、磁石Ｍａにヨーク部材Ｍｂを重ねて使用した場合は、磁石Ｍａ単品の磁気吸着力と比較して、磁石３Ｍａの露出側の磁気吸着力が向上しヨーク部材３Ｍｂ露出側の磁気吸着力は減少する特性が生じるので、本実施例においては、側壁部材４の外面８側にヨーク部材Ｍｂを配置して、保持部材５側のディスク状記録媒体保持具自体の磁気吸着力を向上させると共に、側壁部材４の外面８側への漏洩磁束を減少させるように使用する。
【００２２】
さらに、この磁石部材はディスク状記録媒体を保持できる所定の磁気吸着力を確保できればよいので、寸法等は適宜に決定してよく、場合によってはヨーク部材Ｍｂを省略してもよい。
【００２３】
保持部材５はＡＢＳ樹脂等の合成樹脂製で、先端面５ａとその上部に円筒状の外周壁５ｂを立設して構成されており、その外面全体が本実施例の保持部５’を形成している。なお、図４に示すように外周壁５ｂの内面の全周には係合溝５ｃが設けられ、外周壁５ｂの下端面５ｄは後述するカバー部材３の取り付け時の係止面として機能することになる。
【００２４】
カバー部材３は本実施例のカバー部３’を形成するものであり、ポリ塩化ビニル樹脂等の合成樹脂製で厚さ約０．３ｍｍ、外形はディスク状記録媒体の外形と略同一に形成され、中央部には上述した側壁部材４のカバー収納段部７ｃに嵌合する孔部３ａが形成されている。
この孔部３ａには、図３（ａ）及び図３（ｂ）の孔部拡大図に示すように本体ユニット２への着脱嵌合がスムーズに行えるように弾性嵌合部３ｂが設けられている。なお、図３（ａ）は弾性嵌合部３ｂとして凹部３ｃ，３ｃ．．．を設けた場合を示し、図３（ｂ）は、弾性嵌合部３ｂとして突部３ｄ，３ｄ．．．を設けた場合を示す。但し、これらの弾性嵌合部３ｂは、本実施例に限らず単なる複数のスリット等適宜の形状で実施してよく、その数も適宜に選択し実施してよい。或いは、図示はしないが、カバー部材３の孔部３ａに弾性嵌合部３ｂを設けずに単なる円形とし、保持部材５における外周壁５ｂの外周面の径をカバー部材の孔部の径より若干小さくした形成した状態で、その外周面上に複数のリブ等を突出させて設け、そこを乗り越えさせるようにしても同様な作用効果を奏することができる。
【００２５】
なお、上述した側壁部材４、保持部材５、カバー部材３の材料はそこで述べたものに限らず、磁気吸着力的に支障のないことを条件に、適宜な材料で実施することができる。
但し、使用する材料は、ディスク状記録媒体の基板（ポリカーボネート樹脂）や表面印刷面（ハードコート）に対して擦り傷がつきにくいように、表面硬度がそれらより低く、摩擦係数も小さいものが好ましい。
また、カバー部材３の材料については透明部材を使用すると、ディスク状記録媒体の状態がそのまま見えるので好ましいものとなる。
【００２６】
この状態から本体ユニット２を完成させるには、図２（ａ）に示すように、側壁部材４の磁石部材収納部７ａ内に磁石部材Ｍを構成するヨーク部材Ｍｂと磁石Ｍａを順に収納した状態で、保持部材５を側壁部材４に形成された保持部材取り付け壁７の外側に差し込むと保持部材５の外周壁５ｂの内面に設けられた係合溝５ｃが、側壁部材４の保持部材取り付け壁７に設けられた突起部７ｂに強制嵌合にて取り付ければよい。（図２（ｂ）及び図４参照）
なお、この時、保持部材５の下端面５ｄと側壁部材４のカバー収納段部７ｃ間に、カバー嵌合溝９が形成される。
また、以下に、カバー部材３を取り付ける構成を示すが、本体ユニット２の状態でディスク状記録媒体保持具として使用できることは、言うまでもなく可能である。
【００２７】
ディスク状記録媒体保持具１として完成させるには、図１（ａ）及び図４に示すように、本体ユニット２の保持部５’にカバー部材３の孔部３ａを差し込む。すると、この孔部３ａの周囲に形成した弾性嵌合部３ｂが弾性変形してカバー嵌合溝９に着脱自在に嵌合するので、簡単に完成させることが出来る。
【００２８】
なお、ディスク状記録媒体保持具１にディスク状記録媒体Ａを取り付けるには、図５（ａ）に示すように、ディスク状記録媒体保持具１の保持部５’にディスク状記録媒体Ａの中央孔Ｂを差し込んで、図５（ｂ）及び図６（ａ）の差し込み状態とし、保持部材５の先端面５ａを強磁性体物品に磁気吸着させることにより簡単に実施することができる。
即ち、図６（ｂ）に示すように、ディスク状記録媒体Ａを差し込んだディスク状記録媒体保持具１の保持部５’の先端面５ａを強磁性体物品Ｗに磁気吸着させればよい。なお、本発明においてはディスク状記録媒体保持具１における側壁部４’の外面８の中央部８ａも磁気吸着可能となっているため、同図に示すように他のディスク状記録媒体Ａを差し込んだディスク状記録媒体保持具１を磁気吸着により複数連結することができる。
この状態において、ディスク状記録媒体Ａは、カバー部材３に近接して保持されるので検索時の指の跡や埃等の汚れを防ぐことができる。また、ディスク状記録媒体保持具１への取り付けも差し込むだけで簡単に行え、取り外しも同様に簡単に行うことができる。
また、複数連結した時にディスク状記録媒体保持具１の外面８に湾曲部８ｂが形成されているため、矢印に示すように回動させることができ、ディスク状記録媒体１の表示を容易に見ることができることにより、検索が簡単にできる利点もある。
【００２９】
これまで説明した実施例１においては、ディスク状記録媒体はディスク状記録媒体保持具に差し込まれるだけであったが、これを着脱自在に取り付けることも可能であり、以下複数の実施例により、その構成について説明する。
但し、重複する内容についてはその部分を割愛して説明することとする。
【実施例２】
【００３０】
図７〜図９は、本発明の実施例２を表わし、図７（ａ）は本体ユニットの分解斜視図、図７（ｂ）は本体ユニットの完成状態の斜視図、図７（ｃ）は本体ユニットの部分断面拡大底面図、図７（ｄ）は図７（ｃ）の断面図、図８（ａ）は分解斜視図、図８（ｂ）は完成状態の部分拡大斜視図、図８（ｃ）は完成状態の斜視図、図８（ｄ）は完成状態の部分拡大断面図、図９（ａ）はディスク状記録媒体取り付け状態の拡大断面図、図９（ｂ）はディスク状記録媒体取り付け状態の縮小底面図を示す。
【００３１】
図７（ａ）〜図７（ｄ）に示すように、この実施例のディスク状記録媒体保持具２１の本体ユニット２２も、側壁部材２４、磁石部材Ｍ、保持部材２５で構成される。
保持部材２５は本実施例の保持部２５’を形成するもので、先端面２５ａ上に円筒状の外周壁２５ｂが設けられ、その外周面には３箇所の凹部で形成される舌片収納部２５ｅ，２５ｅ，２５ｅが設けられており、そこへ上部に突部２５ｄ，２５ｄ，２５ｄを備えた弾性舌片２５ｃ，２５ｃ，２５ｃが、空間部分２５ｆ，２５ｆ，２５ｆを介して先端面２５ａ側を開放するように各舌片収納部２５ｅの下端から、図７（ｄ）に示すように若干浮かした位置から一体的に立ち上げる形体で設けられている。
また、外周壁２５ｂの下部及び各弾性舌片２５ｃの下部には、カバー収納段部２５ｇが同一径でへこむ方向に形成される。
なお、各弾性舌片２５ｃ，２５ｃ，２５ｃ間で形成される突部２５ｄ，２５ｄ，２５ｄの外径はディスク状記録媒体Ａの中央孔Ｂより大きくなっており、その根元の径はディスク状記録媒体の中央孔と同等か若干大きく形成される。
また、保持部材２５の各舌片収納部２５ｅ，２５ｅ，２５ｅの内面には磁石部材収納部２５ｈが形成される。
【００３２】
一方、側壁部材２４における側壁部２４’の内面２６の中央部には、保持部材２５の下端部に設けられたカバー収納段部２５ｇが嵌合する凹部２４ａが設けられ、そこにガイド片２４ｂ，２４ｂ，２４ｂが立設されている。このガイド片２４ｂ，２４ｂ，２４ｂは保持部材２５の円周方向の位置決めをするためのものであり、図７（ｃ）に示すように外面は保持部材２５の外周壁２５ｂの内面に沿うようになっており、また、各ガイド片２４ｂの間の切り欠き２４ｃ，２４ｃ，２４ｃは保持部材２５の弾性舌片２５ｃ，２５ｃ，２５ｃの根元が嵌入する寸法に形成されている。
なお、各ガイド片２４ｂ，２４ｂ，２４ｂの内側にも保持部材２５と同様の磁石部材収納部２４ｄが形成される。
また、この実施例においては、保持部材２５の舌片収納部２５ｅにおける弾性舌片２５ｃと円周方向に対向する面が切り欠かれているが、この面を封じる形体としても良く、その場合には封じた内面と嵌合するように側壁部材２４のガイド片２４ｂ，２４ｂ，２４ｂ間の切り欠き寸法を定めればよい。
さらに側壁部材２４の側壁部２４’の外周部には円弧状の切り欠き２４ｅがあるが、これはディスク状記録媒体を装着した際に着脱し易くするための指掛け用切り欠きであり、形成しなくても特に問題はない。
【００３３】
この状態から、磁石部材Ｍを構成する磁石Ｍａ及びヨーク部材Ｍｂを保持部材２５の内面に設けられた磁石部材収納部２５ｇへ順に挿入するか側壁部材２４に設けられた磁石部材収納部２４ｄに逆の順で挿入する。次いで、保持部材２５を側壁部材２４のガイド片２４ｂ，２４ｂ，２４ｂに沿って差し込んだ状態で側壁部材２４と接着剤にて固定することにより、図７（ｂ）に示すような本体ユニット２２が完成する。
なお、保持部材２５と側壁部材２４の固定構造は、接着剤に限らず、超音波接着や先の各実施例に示した強制嵌合等適宜な手段で実施してよい。
また、この状態で保持部材２５に設けられたカバー収納段部２５ｇと側壁部材２４の内面２６間に、カバー嵌合溝２９が形成される。
【００３４】
そして、図８（ａ）の分解斜視図に示すように、カバー部２３’を形成するカバー部材２３の孔部２３ａを本体ユニット２２の保持部２５’に差し込むと、保持部材２５に形成された弾性舌片２５ｃの突部２５ｄ、弾性舌片２５ｃ、外周壁２５ｂに対してカバー部材２３の孔部２３ａの周囲に形成された弾性嵌合部２３ｂが弾性変形して挿通し、最後に本体ユニット２２に形成されたカバー嵌合溝２９内に嵌合するので、図８（ｂ）の完成状態の部分拡大斜視図、図８（ｃ）の完成状態の斜視図、図８（ｄ）の完成状態の部分拡大断面図に示すように、カバー部材２３は本体ユニット２２に着脱自在に取り付けられ、ディスク状記録媒体保持具２１として完成することになる。
【００３５】
このディスク状記録媒体保持具２１に対するディスク状記録媒体Ａの装着は、図９（ａ）のディスク状記録媒体取り付け状態の拡大断面図に示すように、ディスク状記録媒体Ａの中央孔Ｂをディスク状記録媒体保持具２１の保持部材２５に形成された保持部２５’に差し込むと、突部２５ｄを設けた弾性舌片２５ｃが、空間部分２５ｆ方向に弾性変形することにより突部２５ｄを乗り越えることにより成される。また、装着状態から反対方向に引っ張れば、逆の手順で取り外しが可能であるので、ディスク状記録媒体Ａはディスク状記録媒体保持具２１に着脱自在に取り付けることができる。
なお、ディスク状記録媒体Ａのディスク状記録媒体保持具２１への装着状態においては、ディスク状記録媒体Ａにおける一面の全体をディスク状記録媒体保持具２１のカバー部２３’に過小隙間で近接させて保持することができるので、検索時の指の跡や埃等の汚れが付き難いものとすることができる。（図９（ａ）（ｂ）参照）
また、図９（ａ）に示すように、先に説明した実施例１と同様にディスク状記録媒体Ａを装着したディスク状記録媒体保持具２１を磁気吸着により複数連結することができる。
【実施例３】
【００３６】
実施例３は、実施例２と同様に保持部に弾性舌片を設けたものであるが、弾性舌片を設ける構成及びカバー嵌合溝の態様が異なることを特徴としている。
図１０及び図１１は、実施例３を表したものであり、図１０（ａ）は本体ユニットの分解斜視図、図１０（ｂ）は本体ユニットの完成状態の斜視図、図１０（ｃ）は本体ユニットの拡大断面図、図１１（ａ）はディスク状記録媒体保持具の分解斜視図、図１１（ｂ）はディスク状記録媒体保持具の完成状態の部分斜視図、図１１（ｃ）はディスク状記録媒体保持具の縮小斜視図、図１１（ｄ）はディスク状記録媒体保持具の断面図を示す。
【００３７】
本実施例も、図１０（ａ）の本体ユニットの分解斜視図に示されるように、本体ユニット３２は、側壁部材３４、磁石部材Ｍ、保持部材３５で構成されるが、弾性舌片３５ｃは側壁部材３４に直接形成される。
【００３８】
具体的に説明すると、保持部材３５には外周を立ち上げて外周壁３５ｂが設けられ、その外周面には３箇所の凹部で形成される舌片収納部３５ｅ，３５ｅ，３５ｅが設けられており、保持部材３５の内面には収納部を避けた３つの面に図１０（ｃ）に表わされる係合溝３５ｊが設けられている。また、舌片収納部３５ｅ，３５ｅ，３５ｅの内面側に磁石部材収納部３５ｈが形成される。
なお、本実施例においては、保持部材３５の外周壁３５ｂの外径はディスク状記録媒体Ａの中央孔Ｂより小さく、かつ、後述するカバー部材３３の孔部３３ａより若干小さく形成されており、前述した実施例２のようなカバー収納段部は設けない。
一方、側壁部材３４における側壁部３４’の内面３６の中央部には、突起部３７ｂを有する保持部材取り付け壁３７，３７，３７が立設されており、その内側に磁石部材収納部３７ａが形成される。
また、各保持部材取り付け壁３７の中間に上記保持部材３５の舌片収納部３５ｅ内に位置し、上部に突部３５ｄを設け下部にカバー嵌合溝３９を有する弾性舌片３５ｃ，３５ｃ，３５ｃが立設される。なお、この各弾性舌片３５ｃ，３５ｃ，３５ｃの外径は後述するディスク状記録媒体Ａ中央孔Ｂの径より若干小さく、かつ、後述するカバー部材３３の孔部３３ａ径より大きな寸法に形成され、突部３５ｄはディスク状記録媒体Ａ中央孔Ｂより大きく形成される。また、カバー嵌合溝３９の外径はカバー部材３３の孔部３３ａより若干小さく形成される。
なお、側壁部材３４の側壁部３４’の外周部には指掛け用切り欠き部３４ｅ，３４ｅが設けられている。
【００３９】
この状態から、磁石部材Ｍを構成するヨーク部材Ｍｂ及び磁石部材Ｍａを側壁部材３４に設けられた磁石部材収納部３７ａへ順に挿入し、次いで、保持部材３５の係合溝３５ｊを側壁部材３４の保持部材取り付け壁３７に形成された突起部３７ｂに強制嵌合させることにより、側壁部材３４と保持部材３５とは磁石部材Ｍが収納された状態で図１０（ｂ）及び図１１（ｃ）に示すような本体ユニット３２に仕上がる。
この時、側壁部材３４の弾性舌片弾性舌片３５ｃ，３５ｃ，３５ｃは、保持部材３５の舌片収納部３５ｅ，３５ｅ，３５ｅの各中央部へ背面方向に空間部分３５ｆを有する状態で立設することになる。
従って、本実施例の保持部３５’は、保持部材３５と各舌片収納部３５ｅ，３５ｅ，３５ｅを合成して形成されることになるが、その作用は前述した実施例２と同様である。
【００４０】
本実施例に使用するカバー部３３’を形成するためのカバー部材３３は、図１１（ａ）〜（ｄ）に示されるように、これまでの実施例と同様であり中央に孔部３３ａを有する円盤状で、外径がディスク状記録媒体と略同一となっている。但し、孔部３３ａは、ディスク状記録媒体Ａの中央孔Ｂの外径より小さな単なる円形状のものを使用する。
そして、この状態から、図１１（ａ）の分解斜視図に示すように、カバー部材３３の孔部３３ａを保持部３５’に差し込むと、突部３５ｄ付きの各弾性舌片３５ｃは空間部分３５ｆ方向に弾性変形するので、最終的に図１１（ｂ）のディスク状記録媒体保持具の完成状態の部分斜視図、図１１（ｃ）のディスク状記録媒体保持具の縮小斜視図、図１１（ｄ）のディスク状記録媒体保持具の拡大断面図に示されるように、カバー部材３３が本体ユニット３２の各カバー嵌合溝３９に着脱自在に取り付けられ、ディスク状記録媒体保持具３１として完成することになる。
なお、本実施例においては、カバー部材３３の孔部３３ａが側壁部材３４に設けられた
各弾性舌片３５ｃのカバー嵌合溝３９にしか係合しないので、着脱操作がし易いと共に、
各部材の構造が簡素化する利点がある。
また、ディスク状記録媒体の取り付け手順及び作用については、実施例２と同様となるので説明を割愛する。
【実施例４】
【００４１】
図１２は本発明の実施例４を表わし、図１２（ａ）の本体ユニット分解斜視図、図１２（ｂ）の本体ユニット完成状態の斜視図、図１２（ｃ）のディスク状記録媒体保持具の拡大断面図に示されるように、この実施例も実施例２における弾性舌片の設置構造を変更したことを特徴としている。
即ち本実施例における本体ユニット４２は、保持部４５’及び側壁部４４’を有する側壁部材４４、磁石部材Ｍ、蓋部材４５で構成されており、弾性舌片４５ｃは蓋部材４５に形成される。
【００４２】
具体的に説明すると、側壁部材４４における側壁部４４’の内面４６の略中央には保持部４５’が一体的に突出して形成され、その外周壁４７の外周面には３箇所の凹部で形成される舌片収納部４５ｅ，４５ｅ，４５ｅが設けられており、保持部４５’の内面には各舌片収納部４５ｅを避けた３つの面に図１２（ｃ）に表わされる係合溝４７ｂが設けられている。なお、外周壁４７の内面側には外面側が開放された磁石部材収納部４７ｈが形成される。また、各舌片収納部４５ｅにおける上方の側壁部４４’の内面４６を形成する部分には、後述する蓋部材４５の弾性舌片４５ｃが挿通可能な貫通穴４７ｊが設けられる。
一方、蓋部材４５の内面の中央部には、突部４５ｋを有する側壁部材取り付け壁４５ｊ，４５ｊ，４５ｊが立設されており、各側壁部材取り付け壁４５ｊの中間に上記側壁部材４４の舌片収納部４５ｅ内に配置される突部４５ｄを有する弾性舌片４５ｃ，４５ｃ，４５ｃが立設される。
なお、各弾性舌片４５ｃには、図１２（ｂ）の斜視図及び図１２（ｃ）の拡大断面図に表わされるように、本体ユニット４２として組み上げた時に、側壁部４４’の内面４６からの延長上に露出するカバー嵌合溝４９が形成される。
【００４３】
この状態から、磁石部材Ｍを構成する磁石部材Ｍａ及びヨーク部材Ｍｂを側壁部材４４に設けられた磁石部材収納部４７ｈへ順に挿入し、次いで、蓋部材４５の側壁部材取り付け壁４５ｊの突部４５ｋを側壁部材４４の保持部４５’の内面に形成した係合溝４７ｂに強制嵌合させることにより、側壁部材４４と蓋部材４５とは磁石部材Ｍが収納された状態で図１２（ｂ）に示す本体ユニット４２に仕上がる。
この時、蓋部材４５の弾性舌片４５ｃ，４５ｃ，４５ｃは、側壁部材４４の舌片収納部４５ｅ，４５ｅ，４５ｅの各中央部に空間部４５ｆをもって立設することになるので空間部４５ｆ方向に弾性変形が可能となっている。
次に、図１２（ｃ）の拡大断面図に示されるように、カバー部材４３を、本体ユニット４２のカバー嵌合溝４９に差し込むことにより、カバー部４３’を有するディスク状記録媒体保持具４１に仕上がる。
なお、カバー部材４３の装着構造及びディスク状記録媒体の取り付け構造については、前述の各実施例と同様であり、説明を割愛する。
【実施例５】
【００４４】
これまで説明した各実施例のディスク状記録媒体保持具は、カバー部材を着脱自在に構成して、本体ユニットのみからなるディスク状記録媒体保持具と切り替え使用が可能となっていたが、製品として本体ユニットのみからなるディスク状記録媒体保持具とカバー部材を固着したディスク状記録媒体保持具とすることも可能であり、その構成を示す実施例５について説明する。
【００４５】
図１３は本発明の実施例５を表わしたものであり、図１３（ａ）は分解斜視図、図１３（ｂ）は完成状態の部分斜視図、図１３（ｃ）は完成状態の縮小斜視図、図１３（ｄ）は完成状態の部分拡大断面図を示す。
この実施例における、本体ユニット５２は図１３（ａ）及び図１３（ｄ）に示すように、側壁部５４’を形成する側壁部材５４、保持部５５’を形成し３箇所の弾性舌片５５ｃを有する保持部材５５、磁石部材Ｍａ及びヨーク部材Ｍｂからなる磁石部材Ｍで構成され、側壁部材５４の側壁部５４’の内面５６には、外周に沿って平坦な接合用段部５６ａが形成されている。その他、図中５４ｅは指掛け用切り欠きである。
そして、カバー部材５３は、側壁部材５４に形成された平坦な接合用段部５６ａに嵌合するような孔部５３ａを有しており、同部に嵌合させた場合に側壁部５４’の内面５６と略同一平面となるように形成されている。この状態で接着剤等により接合すれば、カバー部５３’付きのディスク状記録媒体保持具５１が完成する。
なお、本実施例における本体ユニット５２の構成は、先に説明した実施例２にカバー嵌合溝を形成せず、接合用段部５６ａが追加された態様としたものであり、他の各実施例においても同様に変形して実施することも可能である。
【００４６】
カバーを接合する構成はこれ以外にも可能であり、図１４は本発明の実施例５の変形例１を表わしたものである。なお、図１４（ａ）は分解斜視図、図１４（ｂ）は完成状態の斜視図、図１４（ｃ）は完成状態の部分拡大断面図を示す。
この変形例においてもディスク状記録媒体保持具として使用できる本体ユニット５２Ｙを使用する。そして、カバー部材５３Ｙの孔部５３Ｙａが本体ユニット５２Ｙの保持部材５５Ｙからなる保持部５５Ｙ’を貫通できる形状となっており、本体ユニット５２Ｙの側壁部材５４Ｙにおける側壁部５４Ｙ’の内面５６Ｙの全面に接着剤等で接合させて、カバー部５３Ｙ’付きのディスク状記録媒体保持具５１Ｙを完成させる。
【００４７】
また、図１５は本発明の実施例５の変形例２を表わしたものであり、図１５（ａ）は分解斜視図、図１５（ｂ）は完成状態の斜視図、図１５（ｃ）は完成状態の部分拡大断面図を示す。
【００４８】
この変形例においてもディスク状記録媒体保持具として使用できる本体ユニット５２Ｚを使用するが、カバー部材５３Ｚとの接合位置が異なっている。
即ち、この変形例におけるカバー部材５３Ｚには孔部が設けられておらず、代わって本体ユニット５２Ｙの側壁部材５４Ｚにおける側壁部５４Ｚ’の外面５８Ｚに沿う形状の接合用凹部５３Ｚａが設けられており、これらの本体ユニット５２Ｚにおける側壁部材５４Ｚの外面５８Ｚとカバー部材５３Ｚの接合用凹部５３Ｚａとを接着剤等で接合させて、カバー部５３Ｚ’付きのディスク状記録媒体保持具５１Ｚを完成させる。
なお、この時カバー部５３Ｚ’の内面と側壁部５４Ｚ’の内面５６Ｚとは略同一面に形成される。
また、図中５５Ｚは保持部材、５５Ｚ’は保持部である。
【００４９】
以上、実施例５及び各変形例で説明したように、カバー部材は単独でディスク状記録媒体保持具として使用できる本体ユニットに対して、各種に変形して接合することができカバー付きディスク状記録媒体保持具として完成させることができる。
従って、カバー無し及びカバー付きディスク状記録媒体保持具を選択して生産することができる利点がある。
【実施例６】
【００５０】
これまで説明した各実施例及び各変形例においては、カバー部を形成するためにカバー部材を使用していたが、本体ユニットにカバー部を一体的に形成することも当然に可能であり、その１例として実施例６を説明する。
【００５１】
図１６は、本発明の実施例６を表わし、図１６（ａ）は保持部側から見た斜視図、図１６（ｂ）は外面側から見た斜視図、図１６（ｃ）は部分拡大断面図を示す。
この実施例におけるディスク状記録媒体保持具６１は、カバー部６３’を一体成形した側壁部６４’を有する側壁部材６４、磁石部材Ｍ、保持部６５’を形成する保持部材６５で構成されており、図１６（ｃ）の想像線で示すディスク状記録媒体Ａの一面をカバー部６３’付きの側壁部６４’の内面６６で覆うことができるようになっている。
なお、図中６８は、湾曲面６８を形成して突出させた外面であり、これまでの各実施例同様に、他のディスク状記録媒体保持具を磁気吸着させた時に回動操作を行いやすくなっている。また、６５ｃは弾性舌片である。
【００５２】
なお、カバー部を一体的に形成する構成は、本実施例以外にも変形して実施することが可能であり、例えば前述した前述した実施例４のような保持部を形成した部材にカバー部を一体成形しても良い。
また、一体成形に代え、カバー部を別部材にて作製し接合しても良い。
ちなみに、上述した実施例５及びその変形例におけるカバー部材の接合は、この実施例の趣旨に包含されるものである。
【実施例７】
【００５３】
図１７は、カバー部を便利な形態に仕上げた実施例７を表わしたものであり、図１７（ａ）は平面図、図１７（ｂ）は配置の参考平面図を示す。
本実施例は、カバー部材等で形成されるカバー部７３’の外周に、インデックス部７３ｂを形成したことを特徴としている。このようにすれば、収納するディスク状記録媒体の分類・整理がし易くなる利点が生じる。
なお、インデックス部７３ｂの形成にあったっては、図１７（ｂ）の一点鎖線で示す千鳥状の配置、二点鎖線で示す方形の板材料の角への配置を勘案し、それを合成したハッチングで示す最適スペース７３ｃ内に配置するのが好ましい。この位置にインデックス部７３ｂを形成すれば、カバー部材が板状の打ち抜き品であった場合には余白部分に形成することができて経済的であり、カバー部材が多数個取りの金型使用の成形品であった場合でも金型を小型化することができる利点がある。
【実施例８】
【００５４】
本発明におけるディスク状記録媒体保持具は、ディスク状記録媒体の両面を覆う形態で実施することもできる。図１８は、その一例である実施例８を表わしたものであり、図１８（ａ）は分解斜視図、図１８（ｂ）は完成状態の斜視図、図１８（ｃ）はディスク状記録媒体収納状態の斜視図、図１８（ｄ）はディスク状記録媒体収納状態の部分拡大断面図を示す。
【００５５】
本実施例は、図１８（ａ）に示すように本体ユニット８２と、カバー部材８３で形成されている。
なお、本体ユニット８２は前述した実施例２を代表的な構成として使用しており、概ね、側壁部８４’を形成する側壁部材８４、磁石部材Ｍ、保持部８５’を形成する保持部材８５で構成され、保持部材８５には３箇所の弾性舌片８５ｃ，８５ｃ，８５ｃが形成され、側保持部材８５と側壁部材８４の内面８６との境界部分にカバー嵌合溝８９が形成されている。
なお、８４ｅは指掛け溝であり、その有無及び設置数は特に制限されないものである。
【００５６】
カバー部８３’を形成するカバー部材８３は、一面カバー部８３ａと他面カバー部８３ｂとが、接合部８３ｃを介して一体的、かつ、回動自在に接合された形態となっている。
そして、一面カバー部８３ａの中央部には、本体ユニット８２のカバー嵌合溝８９に嵌合する孔部８３ａａが形成され、他面カバー部８３ｂ中央部には本体ユニット８２の保持部８５’の外径より若干大きな径の孔部８３ｂａが形成されている。
なお、本実施例においては、一枚物の樹脂シートからなりそれを接合部８３ｃで折り曲げた形態になっているが、別部材を適宜に接合して使用しても、問題無い。
また、先に説明した実施例６や実施例５及び実施例５の変形例のように、カバー部が側壁部と一体的に形成されるものに対しても、応用できることは言うまでもない。
【００５７】
この状態で、図１８（ａ）の矢印で示すように本体ユニット８２の保持部８５’を、カバー部材８３の一面カバー部８３ａの孔部８３ａａに差し込むと、カバー嵌合溝８９にて孔部８３ａａ周囲の弾性嵌合部８３ａｂが着脱自在に係止されることにより図１８（ｂ）のように、カバー部８３’付きのディスク状記録媒体保持具８１として完成する。
さらに、カバー部材８３の他面カバー部８３ｂを矢印に示す方向に大きく開いて、ディスク状記録媒体Ａを実施例２と同様に、本体ユニット８２の保持部８５’に各弾性舌片８５ｃを介して着脱自在に取り付け、他面カバー部８３ｂを閉じると、図１８（ｃ）及び図１８（ｄ）に示すように、ディスク状記録媒体Ａはその両面がカバー部８３’に覆われた状態でディスク状記録媒体保持具８１内に収容されることになる。
この実施例においては、ディスク状記録媒体Ａの両面が覆われるため、指の跡や埃等の汚れを、より確実に防ぐことができる。
【００５８】
本発明は、これまで説明した各実施例及び変形例に限らず各種に変形して実施することができる。
例えば、各実施例及び変形例の本体ユニット自体を磁石部材の一体物として実施してもよく、側壁部材に一部開示した指掛け用切り欠きは、その採用の有無及び設置数や形状は適宜に選択し実施してよい。
また、保持部に形成した弾性舌片の数量は少なくとも一つ形成してあれば、同様な作用効果を奏することができる。
さらに、側壁部材、保持部材、磁石部材、カバー部材の外周形状は円形となっているが、機能を損なわない範疇であれば、変形して実施してよい。
【産業上の利用可能性】
【００５９】
本発明は、穴付きの板状で磁気障害を生じないものであれば、各種用途の物品の収納具として応用することができる。
【図面の簡単な説明】
【００６０】
【図１】本発明の実施例１を表わし、（ａ）は分解斜視図、（ｂ）は完成状態の斜視図を示す。
【図２】本発明の実施例１における本体ユニットの完成状態の斜視図を示す。
【図３】本発明の実施例１におけるカバー部の孔部拡大図を示し、（ａ）は凹部搭載形状、（ｂ）は凸部搭載形状を示す。
【図４】本発明の実施例１の拡大断面図を示す。
【図５】本発明の実施例１におけるディスク状記録媒体の取り付け用の説明図であり、（ａ）は取り付け方法を示す斜視図、（ｂ）は取り付け状態の斜視図を示す。
【図６】本発明の実施例１におけるディスク状記録媒体を取り付けた状態の断面図を表わし、（ａ）は部分拡大断面図、（ｂ）は連結状態の部分拡大断面図を示す。
【図７】本発明の実施例２を表わし、（ａ）は本体ユニットの分解斜視図、（ｂ）は本体ユニットの完成状態の斜視図、（ｃ）は本体ユニットの部分断面拡大底面図、図７（ｄ）は（ｃ）の断面図を示す。
【図８】本発明の実施例２を表わし（ａ）は分解斜視図、（ｂ）は完成状態の部分拡大斜視図、（ｃ）は完成状態の斜視図、（ｄ）は完成状態の部分拡大断面図を示す。
【図９】本発明の実施例２におけるディスク状記録媒体取り付け用の説明図を表わし、（ａ）は部分拡大断面図、（ｂ）は取り付け状態の縮小底面図を示す。
【図１０】本発明の実施例３を表わし、（ａ）は本体ユニットの分解斜視図、（ｂ）は本体ユニットの完成状態の斜視図、（ｃ）は本体ユニットの拡大断面図を示す。
【図１１】本発明の実施例３を表わし、（ａ）は分解斜視図、（ｂ）は完成状態の部分斜視図、（ｃ）は縮小斜視図、（ｄ）は拡大断面図を示す。
【図１２】本発明の実施例４を表わし、（ａ）は本体ユニット分解斜視図、（ｂ）は本体ユニット完成状態の斜視図、（ｃ）は拡大断面図を示す。
【図１３】本発明の実施例５を表わし、（ａ）は分解斜視図、（ｂ）は完成状態の部分斜視図、（ｃ）は縮小斜視図、（ｄ）は部分拡大断面図を示す。
【図１４】本発明の実施例５の変形例１を表わし（ａ）は分解斜視図、（ｂ）は完成状態の斜視図、（ｃ）は部分拡大断面図を示す。
【図１５】本発明の実施例５の変形例２を表わし（ａ）は分解斜視図、（ｂ）は完成状態の斜視図、（ｃ）は部分拡大断面図を示す。
【図１６】本発明の実施例６を表わし（ａ）は保持部側から見た斜視図、（ｂ）は外面側から見た斜視図、（ｃ）は部分拡大断面図を示す。
【図１７】本発明の実施例７を表わし（ａ）は平面図、（ｂ）は配置の参考平面図を示す。
【図１８】本発明の実施例８を表わし、（ａ）は分解斜視図、（ｂ）は完成状態の斜視図、（ｃ）はディスク状記録媒体収納状態の斜視図、（ｄ）はディスク状記録媒体収納状態の部分拡大断面図を示す。
【符号の説明】
【００６１】
Ａ  ディスク状記録媒体
Ｂ  中央孔
Ｗ  強磁性体物品
Ｍ  磁石部材
Ｍａ  磁石
Ｍｂ  ヨーク板
１、２１、３１、４１、５１、５１Ｙ、５１Ｚ、６１、８１  ディスク状記録媒体保持具
２、２２、３２、４２、５２、５２Ｙ、５２Ｚ、８２  本体ユニット
３、２３、３３、４３、５３、５３Ｙ、５３Ｚ、８３  カバー部材
３’、２３’、３３’、４３’、５３’、５３Ｙ’、５３Ｚ’、６３’、７３’、８３’  カバー部
３ａ、２３ａ、３３ａ、５３ａ、５３Ｙａ、８３ａａ、８３ｂａ  孔部
３ｂ、２３ｂ、８３ａｂ  弾性嵌合部
３ｃ  凹部
３ｄ  凸部
４、２４、３４、４４、５４、５４Ｙ、５４Ｚ、６４、８４  側壁部材
４’、２４’、３４’、４４’、５４’、５４Ｙ’、５４Ｚ’、６４’、８４’  側壁部
５、２５、３５、５５、５５Ｙ、５５Ｚ、６５、８５  保持部材
５’、２５’、３５’、４５’、５５’、５５Ｙ’、５５Ｚ’、６５’、８５’  保持部
５ａ、２５ａ  先端面
５ｂ、２５ｂ、３５ｂ  外周壁
５ｃ  係合溝
５ｄ  下端面
６、２６、３６、４６、５６、５６Ｙ、５６Ｚ、６６、８６  内面
６ａ  対向面
６ｂ  面取り部
７、３７  保持部材取り付け壁
７ａ、３７ａ  磁石部材収納部
７ｂ、３７ｂ  突起部
７ｃ  カバー収納段部
８、５８Ｚ、６８  外面
８ａ  中央部
８ｂ、６８ｂ  湾曲面
９、２９、３９、４９、８９  カバー嵌合溝
２４ａ  凹部
２４ｂ  ガイド片
２４ｃ  切り欠き
２４ｄ、２５ｈ、３５ｈ、４７ｈ  磁石部材収納部
２４ｅ、３４ｅ、５４ｅ、８４ｅ  指掛け用切り欠き
２５ｃ、３５ｃ、４５ｃ、５５ｃ、６５ｃ、８５ｃ  弾性舌片
２５ｄ、３５ｄ、４５ｄ  突部
２５ｅ、３５ｅ、４５ｅ  舌片収納部
２５ｆ、３５ｆ、４５ｆ  空間部分
２５ｇ、３５ｇ  カバー収納段部
３５ｊ  係合溝
４５  蓋部材
４５ｊ  側壁部材取り付け壁
４５ｋ  突部
４７  外周壁
４７ｂ  係合溝
４７ｊ  貫通孔
５３Ｚａ  接合用凹部
５６ａ  接合用段部
７３ｂ  インデックス部
７３ｃ  最良スペース
８３ａ  一面カバー部
８３ｂ  他面カバー部
８３ｃ  接合部
【図１】
2006114119.tif 000003
【図２】
2006114119.tif 000004
【図３】
2006114119.tif 000005
【図４】
2006114119.tif 000006
【図５】
2006114119.tif 000007
【図６】
2006114119.tif 000008
【図７】
2006114119.tif 000009
【図８】
2006114119.tif 000010
【図９】
2006114119.tif 000011
【図１０】
2006114119.tif 000012
【図１１】
2006114119.tif 000013
【図１２】
2006114119.tif 000014
【図１３】
2006114119.tif 000015
【図１４】
2006114119.tif 000016
【図１５】
2006114119.tif 000017
【図１６】
2006114119.tif 000018
【図１７】
2006114119.tif 000019
【図１８】
2006114119.tif 000020